(57)【要約】      （修正有）【課題】人間の頭部への装着状態において、頬骨の下側に接触し頬骨の下側に引っ掛かって顔面から外れにくいので、酸素が患者に安定的に供給される、鼻孔カニューラを提供する。【解決手段】顔面との接触面である平面２７側へ一対の突出部２４同士の間の部分で中央部２２が鈍角に屈曲している。このため、人間の頭部への装着状態において、鼻孔カニューラ２１が頬骨の下側に接触し頬骨の下側に引っ掛かって顔面から外れにくい。従って、酸素が患者に安定的に供給される。【選択図】図２
0003107788.tif 000002
【実用新案登録請求の範囲】
【請求項１】
鼻孔に挿入される一対の突出部を有する中央部と、チューブに接続される一対の端部とが設けられており、
前記一対の突出部同士の間の部分で、前記中央部が顔面との接触部側へ鈍角に屈曲している鼻孔カニューラ。
【請求項２】
前記中央部から前記端部へ向かう前記中央部の延在方向から、前記突出部が前記中央部から突出している側へ、前記端部が前記中央部に対して傾斜している請求項１に記載の鼻孔カニューラ。
【請求項３】
人間の頭部への装着状態において頬骨の下側に引っ掛かる形状を有する鼻孔カニューラ。
【考案の詳細な説明】
【技術分野】
【０００１】
本考案は、呼吸療法のための医療用具であって、チューブに接続される一対の端部同士の間の部分に、鼻孔に挿入される一対の突出部が設けられている鼻孔カニューラに関するものである。
【背景技術】
【０００２】
図５は、鼻孔カニューラの従来の一形態を示している（例えば、非特許文献１）。この従来の形態の鼻孔カニューラ１１は軟質の合成樹脂で製造されており、鼻孔カニューラ１１は全体的には略均一な太さの一本の円筒状である。鼻孔カニューラ１１の長手方向の中央部１２が一対の筒状の突出部１３を有しており、中央部１２の内部と突出部１３の内部とが互いに連通している。鼻孔カニューラ１１の一対の端部１４の各々に円筒状のチューブ１５の一方の端部が挿入及び固定されており、一対のチューブ１５の他方の端部はストッパリング１６で纏められた状態で接続管１７に挿入及び固定されている。
【非特許文献１】株式会社インターメドジャパン「ハドソン酸素カニューラ・マスク」カタログ
【０００３】
接続管１７には一本のチューブ１８の一方の端部が挿入及び固定されており、チューブ１８の他方の端部はソケット１９に挿入及び固定されている。ソケット１９は酸素発生装置（図示せず）等に接続される。人間の頭部への鼻孔カニューラ１１の装着に際しては、一対の突出部１３を鼻孔に挿入して鼻孔カニューラ１１を上顎に位置させ、一対のチューブ１５を両耳に掛け、ストッパリング１６の位置を調節して顔面に対するチューブ１５の移動や揺動を防止することによって、顔面に対する鼻孔カニューラ１１の位置を固定する。この状態で、酸素発生装置等で発生された酸素が突出部１３を介して患者に供給される。
【考案の開示】
【考案が解決しようとする課題】
【０００４】
ところが、図５に示されている従来の形態の鼻孔カニューラ１１は、軟質の合成樹脂で製造されてはいるが、全体的には略均一な太さの真っ直ぐな円筒状であり、比較的曲がりにくい。一方、人間の頭部の横断面のうちで上顎から頬骨の下側にかけての部分の形状は「へ」の字に近い形状である。このため、図５に示されている従来の形態の鼻孔カニューラ１１は、人間の頭部への装着状態において、上顎の中央部に接触しているだけであって、頬骨の下側には接触しにくく、頬骨の下側には引っ掛かりにくい。
【０００５】
この結果、人間の頭部への装着に際して一対のチューブ１５を両耳に掛け且つストッパリング１６の位置を調節しても、顔面に対する鼻孔カニューラ１１の位置を固定しにくい。顔面に対して鼻孔カニューラ１１の位置が固定されていなければ、鼻孔カニューラ１１が顔面から外れ易く、鼻孔カニューラ１１が顔面から外れると、酸素発生装置等で発生された酸素が突出部１３を介して患者に供給されない。従って、本考案は、人間の頭部への装着状態において、頬骨の下側に接触し頬骨の下側に引っ掛かって顔面から外れにくいので、酸素が患者に安定的に供給される、鼻孔カニューラを提供することを目的としている。
【課題を解決するための手段】
【０００６】
請求項１に係る鼻孔カニューラでは、中央部における一対の突出部同士の間の部分で、中央部が顔面との接触部側へ鈍角に屈曲している。このため、人間の頭部への装着状態において、鼻孔カニューラが頬骨の下側に接触し頬骨の下側に引っ掛かって顔面から外れにくい。
【０００７】
請求項２に係る鼻孔カニューラでは、中央部から端部へ向かう中央部の延在方向から、突出部が中央部から突出している側へ、端部が中央部に対して傾斜している。このため、人間の頭部への装着状態において、鼻孔カニューラは頬骨の下側を通過した後に両耳へ向かって延びており、一対の端部に接続されて両耳に掛けられている一対のチューブが顔面に接触し易く顔面に対して移動や揺動を生じにくい。
【０００８】
請求項３に係る鼻孔カニューラでは、人間の頭部への装着状態において頬骨の下側に引っ掛かって顔面から外れにくい。
【考案の効果】
【０００９】
請求項１に係る鼻孔カニューラでは、人間の頭部への装着状態において、頬骨の下側に接触し頬骨の下側に引っ掛かって顔面から外れにくいので、酸素が患者に安定的に供給される。
【００１０】
請求項２に係る鼻孔カニューラでは、人間の頭部への装着状態において、一対の端部に接続されて両耳に掛けられている一対のチューブが顔面に接触し易く顔面に対して移動や揺動を生じにくいので、顔面から更に外れにくくて、酸素が患者に更に安定的に供給される。
【００１１】
請求項３に係る鼻孔カニューラでは、人間の頭部への装着状態において頬骨の下側に引っ掛かって顔面から外れにくいので、酸素が患者に安定的に供給される。
【考案を実施するための最良の形態】
【００１２】
以下、本考案を実施するための最良の一形態を、図１〜４を参照しながら説明する。図１〜３に示されている様に、本形態の鼻孔カニューラ２１は塩化ビニルやスチレン系エラストマー等の軟質の合成樹脂で製造されており、長手方向の中央部２２と、一対の端部２３とが、鼻孔カニューラ２１に設けられている。
【００１３】
鼻孔に挿入される一対の筒状の突出部２４を中央部２２が有しており、中央部２２の内部と突出部２４の内部とが互いに連通している。図１に示されている様に、突出部２４の軸心方向から見ると、一対の突出部２４同士の間の部分で中央部２２が１３５°程度の鈍角に屈曲しており、このために鼻孔カニューラ２１の全体が「へ」の字状になっている。
【００１４】
図２に示されている様に、中央部２２のうちの上述の鈍角の屈曲部から端部２３との境界部までの部分は略直線状である。しかし、中央部２２から端部２３へ向かう中央部２２の延在方向から、突出部２４が中央部２２から突出している側へ、端部２３が中央部２２に対して傾斜している。端部２３は汎用の円筒状のチューブ１５（図５）の一方の端部が挿入及び固定されるので円筒状であるが、中央部２２は角筒状である。中央部２２の延在方向に垂直な断面における形状は、突出部２４の軸心方向に延びる長辺とこの長辺に垂直な方向に延びる短辺とを有する長方形である。
【００１５】
図２に示されている様に、中央部２２の断面である長方形の長辺の長さは、突出部２４の近傍部分２５と端部２３との隣接部分２６とで互いに等しい。しかし、図１に示されている様に、中央部２２の断面である長方形の短辺の長さは、隣接部分２６よりも近傍部分２５で長い。これは、近傍部分２５の断面である長方形の短辺の部分に突出部２４を設けるためである。また、端部２３の直径は、近傍部分２５の断面である長方形の短辺の長さと略等しい。これは、上述の様に汎用の円筒状のチューブ１５の一方の端部を端部２３に挿入及び固定するためである。
【００１６】
中央部２２の断面である長方形の短辺の長さは近傍部分２５よりも隣接部分２６で短いが、図１に示されている様に、中央部２２のうちで上述の「へ」の字の劣角側の平面２７は近傍部分２５と隣接部分２６とで面一である。このため、中央部２２の断面である長方形の短辺の長さが近傍部分２５よりも隣接部分２６で短い分は、中央部２２のうちで「へ」の字の優角側の平面２８における段差によって形成されている。
【００１７】
上述の様に中央部２２の断面である長方形の短辺の長さが近傍部分２５よりも隣接部分２６で短いので、平面２７に垂直な方向において隣接部分２６の厚さが近傍部分２５及び端部２３の厚さよりも薄いとも言える。このため、図３に示されている様に、鼻孔カニューラ２１がその隣接部分２６において突出部２４の軸心と垂直な面内で曲がり易い。
【００１８】
人間の頭部への鼻孔カニューラ２１の装着に際しては、図４に示されている様に、一対の突出部２４を鼻孔に挿入して鼻孔カニューラ２１を上顎から頬骨の下側にかけて位置させ、一対のチューブ１５を両耳に掛け、ストッパリング１６の位置を調節して顔面に対するチューブ１５の移動や揺動を防止することによって、顔面に対する鼻孔カニューラ２１の位置を固定する。鼻孔カニューラ２１が人間の頭部に装着されると鼻孔カニューラ２１のうちで少なくとも平面２７が顔面に接触するので、少なくとも平面２７が顔面との接触面になっている。
【００１９】
一方、顔面が曲面であり、しかも、顔面の曲面には個人差がある。しかし、上述の様に鼻孔カニューラ２１がその隣接部分２６において突出部２４の軸心と垂直な面内で曲がり易い。このため、人間の頭部への装着時に隣接部分２６が顔面に沿って曲がり易く、図３に示されている様に、装着状態では平面２７、２８が実際には曲面になっている。従って、鼻孔カニューラ２１が顔面に馴染み易くて、人間の頭部への装着状態における適合感が良好である。しかも、上述の様に少なくとも平面２７が顔面との接触面になっているので、鼻孔カニューラ２１と顔面とが面状に接触し、鼻孔カニューラ２１が顔面に更に馴染み易くて、人間の頭部への装着状態における適合感が更に良好である。
【００２０】
もし、中央部２２の断面である長方形の短辺の長さが近傍部分２５よりも隣接部分２６で短い分が、上述の様に平面２８における段差によって形成されているのではなく、平面２７における段差または平面２７と平面２８との両方における段差によって形成されていれば、平面２７の段差が顔面で感じられるので、人間の頭部への鼻孔カニューラ２１の装着状態における適合感が良好であるとは言い難い。
【００２１】
また、もし、中央部２２が上述の様に角筒状ではなくて端部２３と同様の円筒状であれば、鼻孔カニューラ２１と顔面とが面状ではなくて線状に接触するので、人間の頭部への鼻孔カニューラ２１の装着状態における適合感がやはり良好であるとは言い難い。
【００２２】
更に、顔面との接触面である平面２７側へ一対の突出部２４同士の間の部分で、中央部２２が鈍角に屈曲しているので、人間の頭部への装着状態において、鼻孔カニューラ２１が頬骨の下側に接触し頬骨の下側に引っ掛かって顔面から外れにくい。しかも、中央部２２から端部２３へ向かう中央部２２の延在方向から、突出部２４が中央部２２から突出している側へ、端部２３が中央部２２に対して傾斜しているので、人間の頭部への装着状態において、鼻孔カニューラ２１は頬骨の下側を通過した後に両耳へ向かって延びている。このため、一対の端部２３に挿入及び固定されて両耳に掛けられている一対のチューブ１５が顔面に接触し易く顔面に対して移動や揺動を生じにくいので、鼻孔カニューラ２１が顔面から更に外れにくい。従って、酸素が患者に安定的に供給される。
【産業上の利用可能性】
【００２３】
本考案は、呼吸療法のための医療用具であって、顔面から外れにくいために酸素が患者に安定的に供給される鼻孔カニューラの提供に利用することができる。
【図面の簡単な説明】
【００２４】
【図１】本考案を実施するための一形態の平面図である。
【図２】本考案を実施するための一形態の正面図である。
【図３】本考案を実施するための一形態であって人間の頭部への装着状態にある形態の平面図である。
【図４】本考案を実施するための一形態であって人間の頭部への装着状態にある形態の正面図である。
【図５】本考案の従来の一形態の斜視図である。
【符号の説明】
【００２５】
１５    チューブ
２１    鼻孔カニューラ
２２    中央部
２３    端部
２４    突出部
２７    平面（接触部）
【図１】
0003107788.tif 000003
【図２】
0003107788.tif 000004
【図３】
0003107788.tif 000005
【図４】
0003107788.tif 000006
【図５】
0003107788.tif 000007
【手続補正書】
【提出日】平成16年10月21日(2004.10.21)
【手続補正１】
【補正対象書類名】実用新案登録請求の範囲
【補正対象項目名】全文
【補正方法】変更
【補正の内容】
【実用新案登録請求の範囲】
【請求項１】
鼻孔に挿入される一対の突出部を有する中央部と、チューブに接続される一対の端部とが設けられており、
前記一対の突出部同士の間の部分で、前記中央部が顔面との接触部側へ鈍角に屈曲している鼻孔カニューラ。
【請求項２】
前記中央部から前記端部へ向かう前記中央部の延在方向から、前記突出部が前記中央部から突出している側へ、前記端部が前記中央部に対して傾斜している請求項１に記載の鼻孔カニューラ。